(57)【要約】【課題】 扉錠なしに扉が開けられたとき、警報装置を動作させる防犯装置において、係員や保守員が通常の装置点検で扉開閉を行う際、誤って扉錠を閉状態に戻すことにより警報装置を動作させてしまうことを防止することができる装置を提供する。【解決手段】  係員や保守員による装置点検および修理などの通常操作で、扉を開状態にしたときには、扉が開くと同時に、扉錠回転防止板が迫り出し扉錠が回転しないようにする。【選択図】  図６
2005326991.tif 000002
【特許請求の範囲】
【請求項１】
開閉する扉と本体とからなる情報端末における防犯装置であって、
前記扉の開閉状態を検知する手段と
前記扉の錠の開閉状態を検知する手段と、
を有し、前記扉の開状態を検知した際に扉錠の閉状態を検知した場合に警報を発出することを特徴とする防犯装置。
【請求項２】
請求項１に記載の防犯装置であって、
前記扉の開状態に前記扉錠の抜き取りを防止する扉錠抜取り防止機構を備えたことを特徴とする防犯装置。
【請求項３】
請求項２に記載の防犯装置であって、
前記扉錠抜取り防止機構は、
前記本体に設けた誤操作防止機構解除板金と、
前記扉に設けた扉錠回転防止板金と
前記扉錠と連動するカムと、
前記カムの回転を妨げる位置に前記扉錠回転防止板金を押し出すバネと
からなり、前記誤操作防止機構解除板金は、前記扉が閉じた際に前記扉錠回転防止板金を前記カムの回転可能な位置に移動させるよう作用することを特徴とする防犯装置。
【発明の詳細な説明】
【技術分野】
【０００１】
現金自動取引装置、無人料金精算機等の情報端末において、装置扉を扉開閉錠を使用せずに開閉が行われたときに警報機能を動作させる防犯装置に関するものである。
【背景技術】
【０００２】
金融端末や無人料金清算端末等においては、装置内に現金を一時保管しておく必要があり、また、一般の顧客や使用者が装置を操作する機会があるため、装置扉のこじ開け等を防止する機構が必要となる。
【０００３】
金融端末や無人料金精算端末において防犯機構を導入した発明は数多く提案されている。例えば、特許文献１では、扉及びハンドルスイッチで不正開扉検知回路を構成し、不正開扉を検知すると警報ブザーが鳴動するような装置が提案されている。
また、特許文献２では、扉錠のシリンダが前後に稼動できるような構造とし、開錠の際にシリンダを例えば押込むことによって防犯装置のスイッチがオフとなり、施錠の際にはシリンダの位置を戻すことによって防犯装置のスイッチオンとなる構造が開示されている。
【０００４】
【特許文献１】特開平７−２７２０８９号公報
【特許文献２】特開２００１−３５１１８１号公報
【発明の開示】
【発明が解決しようとする課題】
【０００５】
上述した従来技術において、特許文献１では、係員や保守員が装置の点検などの目的で扉を開けている際に、誤ってハンドルスイッチを閉状態してしまうと異常状態と誤認識し、防犯機能を作動させてしまう問題がある。また、特許文献２では扉錠自体が特殊な構造であり、製造上のコストアップが避けられないという問題がある。
【０００６】
本発明は、このような問題を解決し、係員や保守員の誤操作による防犯機能を誤作動を安価に防止する機能を実現することを目的とする。
【課題を解決するための手段】
【０００７】
扉錠の開閉状態と扉の実開閉状態とを検知し、扉錠が閉状態の際に扉が開けられたことを検知すると異常を検知し、警報発出等の防犯機能が動作する構造とした。また、扉が開状態の時には扉錠回転防止板金が迫り出し、扉開中には扉錠が開状態から閉状態へと戻らない構造とし、防犯機能の誤作動を防止する。
【発明の効果】
【０００８】
扉錠なしに扉が開けられた際に防犯機能を作動させる防犯装置において、係員や保守員による装置点検や修理などの正常操作で扉を開状態にしたときには、扉が開くと同時に、扉錠回転防止板が迫り出し扉錠が回転しないようにする機能を設けることにより、防犯装置の誤操作を防止することができる。
【発明を実施するための最良の形態】
【０００９】
以下、本発明の実施の形態を図面を参照して説明する。
【実施例１】
【００１０】
図１〜図３は、本発明に係る防犯機構の警報発出動作を説明する概略回路図である。図１は通常運転中、即ち扉錠が閉状態となっており、扉も実際に閉じた通常動作であって、防犯監視中の各スイッチの状態を示したものである。図２は係員や保守員による通常の点検や修理中、即ち、扉錠を用いて扉を開状態にした監視停止状態での各スイッチの状態を示したものである。 図３は、異常時、即ち、扉錠が閉状態であるにもかかわらず扉が開けられ、警報ブザーが鳴動中の各スイッチの状態を示したものである。
【００１１】
図４は、本防犯装置を搭載した本体の外観を示すものである。図５は、図４の本体の扉が開けられた状態を示すものである。図６は、本発明に関る扉錠開閉検知スイッチの設置状況及び、扉錠回転防止板金の設置状況を示すものであり、誤操作防止機構の構造を示すものである。図７は、図６の誤操作防止機構を解除するための板金と配置状況を示すものである。図８および図９は扉錠回転防止板金の動作を説明するものである。
図１において警報ブザー１４は所定の電圧がかかるとブザーが鳴動する機能を有する。１１は電源およびバッテリーであり、本防犯装置を搭載している情報処理装置(以下本体)２０がサービス運転中即ち、電源が供給されている時間には、この電源１１にも電源が供給され、図１の防犯装置の回路に電源が供給される。一方、本体２０がサービス停止中、即ち電源が供給されていない時間には、バッテリ１１が防犯装置の回路に電源を供給する。
【００１２】
扉オープン検知スイッチ１３は、扉が閉状態の時はスイッチがオン（導通あり）、扉が開状態のときにはスイッチがオフ（導通なし）になるよう設置されている。扉錠開閉検知スイッチ１２は扉が施錠中、即ち扉錠が無いときにはスイッチがオン（防犯監視中）となり、扉に扉錠が差し込まれ鍵を開錠しているときには、スイッチがオフ（監視停止中）になるようにしている。
【００１３】
図１の各スイッチの状態は、扉錠開閉検知スイッチ１２が閉即ち、扉錠がなく施錠されている状態且つ、扉オープン検知スイッチ１３が閉即ち、扉が閉められている状態であり、通常運転中の状態であることを示す。
次に図２の各スイッチの状態は、扉錠開閉検知スイッチ１２が開即ち、扉錠があり、扉が開錠されている状態且つ、扉オープンスイッチ１３が開即ち、扉が開いている状態であり、係員や保守員による通常の点検中あるいは修理中の状態であることを示す。
図３の各スイッチの状態は、扉錠開閉検知スイッチ１２が閉即ち、扉が閉められている状態であるにもかかわらず、扉オープン検知スイッチ１３が開即ち扉が開いている状態を示しており、悪意の者による扉のこじ開け等、異常状態であることを示す。この状態では、警報ブザー１４に電源／バッテリ１１が接続される回路となり、警報ブザーが鳴動する。
図４は本発明の防犯装置を搭載した本体２０の外観を示す。扉錠シリンダ２１に扉錠を差込み、鍵を回すことにより開錠され、扉２３が開けられるようになっている。
図５は本体２０の扉２３を空けたときの状態を示す。扉オープン検知スイッチ１３は扉２３の開閉状態を検知する。警報装置ユニット２２は警報ブザー１４を初め、図１〜図３で示したような防犯装置の回路などが組み込まれている。尚、この警報装置ユニット２２は、板金で覆われており簡単に破壊できない構造になっている。
図６は、扉２３の裏面に搭載されている扉錠シリンダ２１、扉錠開閉検知スイッチ１２、扉錠回転防止板金の配置状況を示している。金属性のカム２５は扉錠シリンダに取り付けてあり、扉の施錠や開錠の動作に連動し９０度回転するようになっている。
図８は、扉が施錠及び、開錠されているときのカム２５、扉開閉検知スイッチ１２及び、扉錠回転防止板金２６の状態を示す。扉開閉検知スイッチ１２は、扉２３が施錠されているときには扉錠シリンダ２１に取り付けてあるカム２５と接触し、スイッチ１２が閉になるように設置されている。一方、扉２３が開錠しているときには、カム２５が９０°回転し、スイッチ１２が開になる。扉錠回転防止板金２６は、扉が開けられた時にはカム２５の回転を防止する位置に配置される。
【００１４】
図９は、扉の開閉各状態における扉錠回転防止板金の状態を示している。扉が閉じているときには、図７に示す誤操作防止機構解除板金２４が扉錠回転防止板金２６を押さえるように設置されいおり、カム２５の回転が可能な状態となる。一方、扉が開いているときは、扉錠回転防止板金２６は、押し出しバネ２７の力によりカム２５が回転できない位置に迫り出する構造となっている。
【００１５】
以上により、扉錠を使って扉を開けるときには防犯装置は作動せず、扉錠なしに扉が開けられたときには防犯装置が作動し、さらに通常の扉を開けて作業をする際には、扉錠が回転できなくすることにより、作業者が誤って扉錠を回転させ防犯装置を作動してしまうことを防止する機能を実現できる。
【００１６】
なお、以上の説明では現金自動取引装置、無人料金精算機に搭載される防犯装置を説明したが、本防犯装置はそれに限定されるものでなく、例えば、自動販売機やその他、防犯が要求される装置の開閉扉にも適用可能である。
【図面の簡単な説明】
【００１７】
【図１】本発明の防犯装置の概略回路図である。
【図２】本発明の防犯装置の概略回路図である。
【図３】本発明の防犯装置の概略回路図である。
【図４】本発明の防犯装置を搭載した本体の外観図である。
【図５】本発明の本体の内部構成を示す図である。
【図６】本体の扉裏面に配置されている防犯機構の配置を示す図である。
【図７】誤操作防止機構解除板金の配置状態を示す図である。
【図８】誤操作防止機構を説明する図である。
【図９】誤操作防止機構を説明する図である。
【符号の説明】
【００１８】
１１・・・電源／バッテリ、１２・・・扉錠開閉検知スイッチ(監視停止スイッチ)、１３・・・扉オープン検知スイッチ、１４・・・警報ブザー、２０・・・本体、２１・・・扉錠シリンダ、２２・・・警報装置ユニット、２３・・・扉、２４・・・誤操作防止機構解除板金、２５・・・カム、２６・・・扉錠回転防止板金、２７・・・扉錠回転防止板金押し出しバネ
【図１】
2005326991.tif 000003
【図２】
2005326991.tif 000004
【図３】
2005326991.tif 000005
【図４】
2005326991.tif 000006
【図５】
2005326991.tif 000007
【図６】
2005326991.tif 000008
【図７】
2005326991.tif 000009
【図８】
2005326991.tif 000010
【図９】
2005326991.tif 000011